(57)【要約】【課題】シートのサイズに関する情報が自動で検知される構成において、ユーザビリティを向上可能な画像形成装置、及びその制御方法を提供する。【解決手段】メモリに記憶されたシートのサイズに関する第１の情報と、シートの種類に関する第２の情報とが所定の組合せ条件を満たしている状態で、サイズ検知手段によってシートのサイズを検知した場合に、ＣＰＵが判定処理（Ｓ３０３）を実行する。判定処理においては、検知結果として取得したサイズが、第２の情報に対して組合せ条件を満たしているか判定し、ＣＰＵは判定結果に基づいて適宜処理内容を変更する。【選択図】図１０
2018001463.tif 000002
【特許請求の範囲】
【請求項１】
シートを保持するシート保持手段と、
前記シート保持手段に保持されたシートのサイズを検知可能なサイズ検知手段と、
前記シート保持手段に保持されたシートのサイズに関する第１の情報と、前記シート保持手段に保持されたシートの種類に関する第２の情報と、を記憶可能な記憶手段と、
前記記憶手段に記憶された前記第１の情報及び前記第２の情報が所定の組合せ条件を満たしている状態で、前記シート保持手段に保持されたシートのサイズを前記サイズ検知手段によって検知した場合に、検知結果により得られるシートのサイズが前記第２の情報に対して前記組合せ条件を満たすか判定する判定処理を実行する制御手段と、
を備えることを特徴とする画像形成装置。
【請求項２】
前記制御手段が、前記判定処理において前記組合せ条件が満たされていないと判定した場合、前記組合せ条件を満たすように設定された情報を前記記憶手段に記憶させる再設定処理を実行することを特徴とする、
請求項１に記載の画像形成装置。
【請求項３】
前記制御手段が、前記再設定処理において、前記第１の情報に代えて、前記サイズ検知手段による検知結果に対応する情報を前記記憶手段に記憶させ、前記第２の情報に代えて、前記検知結果に対して前記組合せ条件を満たすように設定されたシートの種類に関する情報を前記記憶手段に記憶させることを特徴とする、
請求項２に記載の画像形成装置。
【請求項４】
前記制御手段が、前記再設定処理において、前記シート保持手段に保持されたシートに関する情報の入力を受付ける入力処理を実行し、前記入力処理の結果に基づいて前記記憶手段に記憶させる情報を設定することを特徴とする、
請求項２又は３に記載の画像形成装置。
【請求項５】
画像を表示可能な表示部を備え、
前記制御手段が、前記入力処理において、シートに関する情報を前記組合せ条件を満たす範囲で選択させる画像を前記表示部に表示させることを特徴とする、
請求項４に記載の画像形成装置。
【請求項６】
前記制御手段が、前記再設定処理において、前記記憶手段に記憶された情報を、前記組合せ条件を満たすように変更したものを前記記憶手段に記憶させる自動変更処理を実行することを特徴とする、
請求項２又は３に記載の画像形成装置。
【請求項７】
画像を表示可能な表示部を備え、
前記制御手段が、前記自動変更処理を実行する場合、前記自動変更処理の実行を通知する画像を前記表示部に表示させることを特徴とする、
請求項６に記載の画像形成装置。
【請求項８】
前記制御手段が、前記判定処理において前記組合せ条件が満たされていないと判定した場合、シートのサイズ及びシートの種類の一方又は両方を再設定する必要があることを通知する通知処理を実行することを特徴とする、
請求項１乃至７のいずれか１項に記載の画像形成装置。
【請求項９】
前記制御手段が、前記通知処理の実行を開始した場合、前記組合せ条件が満たされていることを検知した後に前記通知処理を終了することを特徴とする、
請求項８に記載の画像形成装置。
【請求項１０】
前記制御手段が、前記判定処理において前記組合せ条件が満たされていると判定した場合において、前記サイズ検知手段による検知結果が前記第１の情報と異なるときには、前記第１の情報に代えて、検知結果により得られるシートのサイズに関する情報を前記記憶手段に記憶させることを特徴とする、
請求項１乃至９のいずれか１項に記載の画像形成装置。
【請求項１１】
前記シート保持手段が、シートを収納可能であり装置本体に対して開閉可能な収納部を備え、
前記制御手段が、前記第１の情報及び前記第２の情報が前記記憶手段に記憶されている状態で、前記収納部が開かれた後に閉じられた場合に、前記サイズ検知手段によって前記収納部に収納されたシートのサイズを検知することを特徴とする、
請求項１乃至１０のいずれか１項に記載の画像形成装置。
【請求項１２】
前記制御手段が、
前記サイズ検知手段を用いて前記第１の情報を取得する自動サイズ検知モードと、ユーザによって入力された数値に基づいて前記第１の情報を取得するユーザ設定モードと、を選択可能であり、
前記第１の情報が前記記憶手段に記憶されている状態で前記ユーザ設定モードから前記自動サイズ検知モードに変更された場合に、前記サイズ検知手段によって前記シート保持手段に保持されたシートのサイズを検知することを特徴とする、
請求項１乃至１１のいずれか１項に記載の画像形成装置。
【請求項１３】
前記記憶手段は、シートのサイズとシートの種類の組合せ条件の可否を記憶することを特徴とする、
請求項１乃至１２のいずれか１項に記載の画像形成装置。
【請求項１４】
制御手段が、シート保持手段に保持されたシートのサイズに関する第１の情報を、記憶手段に記憶させる工程と、
前記制御手段が、前記シート保持手段に保持されたシートの種類に関する第２の情報を前記記憶手段に記憶させる工程と、
前記制御手段が、前記記憶手段に記憶された前記第１の情報及び前記第２の情報が所定の組合せ条件を満たしている状態で、前記シート保持手段に保持されたシートのサイズをサイズ検知手段によって検知した場合に、検知結果が前記第２の情報に対して前記組合せ条件を満たすか判定する工程と、
を含むことを特徴とする画像形成装置の制御方法。
【請求項１５】
コンピュータに、請求項１４に記載された画像形成装置の制御方法の各工程を実行させるためのプログラム。
【発明の詳細な説明】
【技術分野】
【０００１】
本発明は、シートに画像を形成する画像形成装置、画像形成装置の制御方法、及び制御方法を実行させるプログラムに関する。
【背景技術】
【０００２】
複写機やプリンタなどの画像形成装置は、装置と一体の操作パネルや、外部のコンピュータにインストールされたドライバソフトウェアを介して、記録媒体として使用するシートのサイズ及び種類等に関する情報（シート情報）が設定される。このようなシート情報は、通常、給紙カセットや手差しトレイなど、シートを保持する部位毎に設定される。
【０００３】
一方、画像形成装置や、画像形成装置を制御する制御プログラムの中には、設定されたシート情報の組合せが適切かどうかを判定する禁則処理を行うものがある。特許文献１には、ユーザによって設定された用紙サイズと用紙種類の組合せが印刷装置によってサポートされているかどうかを判定し、禁則関係にある場合には用紙サイズを自動で変更した上で印刷を指令するプリンタドライバが開示されている。
【先行技術文献】
【特許文献】
【０００４】
【特許文献１】特開２０１２−２２６６６４号公報
【発明の概要】
【発明が解決しようとする課題】
【０００５】
ところで、画像形成装置の中には、給紙カセット等にセットされたシートのサイズを装置内部の制御部が検知するための検知構成を備えたものがある。しかし、禁則処理を行う画像形成装置において、このような検知構成によってシートのサイズを検知する自動検知が実行された場合、通常であれば禁則処理によって禁止される組合せのサイズ及び種類が設定されてしまう場合があった。即ち、禁則処理を通過したシート情報がＲＡＭ等の記憶部に記憶されている状態で、自動サイズ検知が実行された際に、検知結果によってシート情報が上書きされてしまう場合があった。
【０００６】
このような場合、例えば、ＲＡＭに記憶されたシート情報に対して禁則処理を施すことにより、禁則関係にあるシート情報が設定された給紙カセットの選択を禁止することが考えられる。しかしながら、ユーザ側の立場からは、シート情報自体は設定されているにも関わらず、給紙カセットの選択を規制されることになる。このため、印刷を実行する直前になって、規制の理由を確認したり、シート情報を再設定したりする必要が生じてしまい、ユーザビリティを向上させる余地があった。
【０００７】
そこで、本発明は、シートのサイズに関する情報が自動で検知される構成において、ユーザビリティを向上可能な画像形成装置、及びその制御方法を提供することを目的とする。
【課題を解決するための手段】
【０００８】
本発明の一態様に係る画像形成装置は、シートを保持するシート保持手段と、前記シート保持手段に保持されたシートのサイズを検知可能なサイズ検知手段と、前記シート保持手段に保持されたシートのサイズに関する第１の情報と、前記シート保持手段に保持されたシートの種類に関する第２の情報と、を記憶可能な記憶手段と、前記記憶手段に記憶された前記第１の情報及び前記第２の情報が所定の組合せ条件を満たしている状態で、前記シート保持手段に保持されたシートのサイズを前記サイズ検知手段によって検知した場合に、検知結果により得られるシートのサイズが前記第２の情報に対して前記組合せ条件を満たすか判定する判定処理を実行する制御手段と、を備えることを特徴とする。
【０００９】
また、本発明の他の一態様に係る画像形成装置の制御方法は、制御手段が、シート保持手段に保持されたシートのサイズに関する第１の情報を、記憶手段に記憶させる工程と、前記制御手段が、前記シート保持手段に保持されたシートの種類に関する第２の情報を前記記憶手段に記憶させる工程と、前記制御手段が、前記記憶手段に記憶された前記第１の情報及び前記第２の情報が所定の組合せ条件を満たしている状態で、前記シート保持手段に保持されたシートのサイズをサイズ検知手段によって検知した場合に、検知結果が前記第２の情報に対して前記組合せ条件を満たすか判定する工程と、を含むことを特徴とする。
【発明の効果】
【００１０】
本発明に係る画像形成装置又はその制御方法によれば、ユーザビリティの向上を図ることができる。
【図面の簡単な説明】
【００１１】
【図１】画像形成装置の基本構成を示すブロック図。
【図２】（ａ）は画像形成装置の外観を示す正面図であり、（ｂ）は画像形成部の構成を示す概略図。
【図３】（ａ）は操作パネルに表示される用紙設定画面を示す画像図であり、（ｂ）は警告メッセージが表示された状態の用紙設定画面を示す画像図。
【図４】操作パネルに表示されるユーザ設定画面を示す画像図。
【図５】（ａ）は操作パネルに表示される用紙種類選択画面を示す画像図であり、（ｂ）は用紙種類が未選択である場合の用紙種類選択画面を示す画像図であり、（ｃ）は一部の用紙種類が選択不可である場合の用紙種類選択画面を示す画像図。
【図６】給紙カセットの構成を示す平面図。
【図７】（ａ）は用紙長さ検知部の検知スイッチの斜視図であり、（ｂ）は用紙幅検知部の検知スイッチの斜視図。
【図８】用紙情報の設定における処理手順を示すフローチャート。
【図９】用紙サイズ検知処理が実行されるケースを説明するためのフローチャート。
【図１０】第１実施形態に係る用紙サイズ検知処理の処理手順を示すフローチャート。
【図１１】第２実施形態に係る用紙サイズ検知処理の処理手順を示すフローチャート。
【図１２】第３実施形態に係る用紙サイズ検知処理の処理手順を示すフローチャート。
【発明を実施するための形態】
【００１２】
＜第１実施形態＞
以下、図面を参照しながら、本開示に係る画像形成装置について説明する。図１に示すように、画像形成装置１００は、用紙等の記録媒体（シート）に画像を形成する印刷装置１０５を備えた複合機である。画像形成装置１００は、ＣＰＵ１０１、メモリ１０２、補助記憶装置１０３、スキャナ装置１０４、印刷装置１０５、操作パネル１０６、インタフェース１０７を備えている。これらの各要素は、内部バス１０８によって互いに接続されている。また、ＣＰＵ１０１は、インタフェース１０７を介して、外部のコンピュータ（外部ＰＣ）１１０と相互に通信可能であり、また、ＤＶＤやＵＳＢメモリといった記憶媒体１１１に格納されたデータを読出すことができる。
【００１３】
制御手段であるＣＰＵ１０１は、メモリ１０２又は補助記憶装置１０３に格納されたプログラムを読出して印刷装置１０５に印刷動作（画像形成動作）を実行させる他、画像形成装置１００を統括制御する。シートに関する情報を記憶可能な記憶手段であるメモリ１０２は、書換え可能なランダムアクセスメモリ（ＲＡＭ）及び読取り専用メモリ（ＲＯＭ）を含み、プログラムや印刷動作の設定情報の格納場所として利用される。補助記憶装置１０３は、ハードディスク等の大容量記憶装置から構成され、大容量データや、プログラムの実行コードが保存される。また、補助記憶装置１０３には、メモリ１０２と比較して、長時間保持する必要があるデータが格納される。
【００１４】
図２（ａ）に示すように、画像形成装置１００は、画像入力デバイスであるスキャナ装置１０４、画像出力デバイスである印刷装置１０５、及びシート処理装置であるフィニッシャ１０９を備えている。印刷装置１０５は、画像形成装置１００の装置本体を構成する。また、装置本体に着脱可能なオプション装置であるフィニッシャ１０９は、画像形成部５１から出力されたシートに対して、整合処理、ステイプル処理、又は折り処理（製本を含む）等の処理を実行可能である。
【００１５】
スキャナ装置１０４は、原稿を一枚ずつ給送可能な原稿給送装置４ａを備え、原稿給送装置４ａから給送され、又は原稿台に載置された原稿を光学的に走査して、ＣＣＤ方式等の光電変換素子により電子的な画像データに変換する。ＣＰＵ１０１は、スキャナ装置１０４によって取得された画像データから、原稿のカラー／モノクロの種別や原稿サイズの判定を行う。
【００１６】
印刷装置１０５は、シートに画像を形成する画像形成部５１と、シートを収納可能な給紙カセット５２，５３，５４，５５とを備えている。収納部である給紙カセット５２〜５５には、用紙及び封筒等の紙に限らず、オーバーヘッドプロジェクタ（ＯＨＰ）用のプラスチックフィルム、並びに布を含む、薄層状の記録媒体を収納可能である。また、印刷装置１０５の側面には、ユーザが手動でシートをセット可能な手差し装置５６が配置されている。給紙カセット５２〜５５及び手差し装置５６は、いずれも、画像形成部５１に給送するシートを保持可能なシート保持手段の一例である。
【００１７】
画像形成手段である画像形成部５１は、例えば図２（ｂ）に示すような電子写真方式の画像形成ユニットＰＵを有する。画像形成ユニットＰＵは、感光体からなる感光ドラム１と、帯電器２と、露光装置３と、現像器４と、クリーナ６とを含む。ＣＰＵ１０１から画像形成動作の開始が指令されると、帯電器２が感光ドラム１の表面を一様に帯電させ、露光装置３が画像データに応じて感光ドラム１を走査して静電潜像を形成する。現像器４は、感光ドラム１に帯電したトナーを供給して静電潜像をトナー像に現像する。感光ドラム１に担持されたトナー像は、転写ローラ５により直接的に（又は中間転写体を介して間接的に）シートへと転写される。シートに転写されたトナー像は、例えば熱定着方式の定着器７により、シートへ定着させられる。
【００１８】
画像形成部５１は、このような画像形成動作を実行することにより、スキャナ装置１０４によって取得した画像データや外部ＰＣ１１０から入力された画像データに基づいてシートに画像を形成する。なお、画像形成部５１は、複数のトナー色に対応する複数の画像形成ユニットＰＵを備えていてもよい。また、画像形成部５１は、電子写真方式に代えて、インクジェット方式など既知の方式の画像形成ユニットを備えていてもよい。
【００１９】
また、画像形成装置１００は、装置に備え付けられたユーザインタフェースとして操作パネル１０６を備えている。表示部である操作パネル１０６は、複数の画像を適宜表示可能なタッチパネル６ａ（図３〜図５参照）と、テンキー及びスタートボタン等のハードキーとを有している。ＣＰＵ１０１は、ユーザによるタッチパネル６ａ及びハードキーの操作に基づいて、出力対象のシートについての情報や両面印刷の有無など、画像形成装置１００を適切に動作させて成果物を出力するために必要な情報（印刷情報）を取得する。
【００２０】
操作パネル１０６の操作又は外部ＰＣ等からの入力信号により、画像形成装置１００に画像形成動作の開始要求が入力されると、ＣＰＵ１０１は印刷装置１０５に画像形成動作を実行させる印刷ジョブを開始する。印刷ジョブにおいて、ＣＰＵ１０１は、給紙カセット５２〜５５及び手差し装置５６によるシート給送動作や、画像形成部５１による画像形成動作の各工程を、印刷情報に基づいて制御する。
【００２１】
［シート情報］
次に、給紙カセット５２〜５５に収納されたシートのサイズ及び種類に関する情報の設定方法について説明する。ただし、シートのサイズ（用紙サイズ）とは、シート給送方向におけるシートの長さと、シートの幅（シート給送方向に直交する方向の長さ）との組合せを表す。また、シートの種類（用紙種類）とは、シートの材質、厚さ（坪量）、表面処理の有無、インデックスタブ等の特殊形状の有無など、サイズ以外の特徴によって識別可能な任意の分類を指すものとする。ただし、以下の説明において、特に断らない限り、「用紙」には画像形成装置１００がサポートする全ての種類のシートが含まれるものとする。
【００２２】
本実施形態において、給紙カセット５２〜５５に収納されたシートの情報（用紙情報）は、次の表１に示すようなデータ構造の下で管理される。即ち、各給紙カセット５２〜５５に対して、用紙サイズと、Ｘサイズと、Ｙサイズと、用紙種類とを設定可能である。これらの情報は、ＣＰＵ１０１の制御の下で、メモリ１０２のＲＡＭに保存され、適宜読出し及び書換えが行われる。
【００２３】
【表１】
2018001463.tif 000003
【００２４】
用紙サイズの値は、Ａ列やＢ列など予めメモリ１０２のＲＯＭ又は補助記憶装置１０３に保存されたサイズ、又はユーザ設定サイズから選択される。Ｘサイズ及びＹサイズは、用紙サイズがユーザ設定サイズである場合に参照される数値である。用紙種類は、普通紙や厚紙など、予めＲＯＭ又は補助記憶装置１０３に保存されたものから選択される。
【００２５】
［サイズ検知構成］
次に、給紙カセット５２〜５５に収納された用紙サイズをＣＰＵ１０１が検知するための検知構成について説明する。図６は給紙カセット５２を上方から視た図であり、他の給紙カセット５３，５４，５５もこれと同様の構成を有している。図６に示すように、給紙カセット５２は、用紙を支持する支持部５２１と、支持部５２１を囲むケーシング５２０と、支持部５２１に載置された用紙を規制可能なサイド規制ガイド５２２，５２２及び後端規制ガイド５２３を備えている。
【００２６】
ケーシング５２０は、印刷装置１０５の枠体に対して図中上下方向（縦方向）に移動可能に支持されている。即ち、給紙カセット５２は、画像形成装置１００の装置本体に対して引出し可能（開閉可能）に装着されている。また、給紙カセット５２には、用紙を給送する給送手段として、分離ローラ方式又は吸着ベルト方式といった既知の給送ユニット（不図示）が配置される。支持部５２１に載置された用紙は、給送ユニットにより、図中右方向（横方向）に送り出されて画像形成部５１に給送される。
【００２７】
サイド規制ガイド５２２，５２２は、給紙カセット５２の移動方向に沿って形成されたレール５２５に沿って用紙の幅方向に移動可能な１対の規制板である。サイド規制ガイド５２２，５２２は、支持部５２１に載置された用紙の両側部に当接して、用紙の端部位置を規制する。また、後端規制ガイド５２３は、用紙の給送方向に沿って形成されたレール５２４に沿って移動可能な規制板であり、支持部５２１に載置された用紙の給送方向上流端（後端）に当接して、用紙の後端位置を規制する。なお、支持部５２１には、ユーザがサイド規制ガイド５２２，５２２及び後端規制ガイド５２３を操作する際の目印として、複数の用紙サイズに対応する位置に標識２１ａが描かれている。
【００２８】
給紙カセット５２には、支持部５２１に載置された用紙サイズを検知可能なサイズ検知手段として、サイド規制ガイド５２２の位置を検知する用紙幅検知部５２８と、後端規制ガイド５２３の位置を検知する用紙長さ検知部５２６とが配置されている。用紙幅検知部５２８は、一方のサイド規制ガイド５２２に連結された幅検知円盤９０と、幅検知円盤９０の回動角を検知可能な幅検知スイッチ８０とによって構成される。また、用紙長さ検知部５２６は、後端規制ガイド５２３に連結された長さ検知円盤７０と、長さ検知円盤７０の回動角を検知可能な長さ検知スイッチ６０とによって構成される。
【００２９】
用紙幅検知部５２８及び用紙長さ検知部５２６は、互いに類似する機構によって対応する規制ガイド５２２，５２３の位置を検知する。即ち、各検知円盤７０，９０は、対応する規制ガイド５２２，５２３の移動に伴って回動可能である。また、円盤の外周部には、規制ガイドが特定の位置にある状態で検知スイッチ６０，８０に対向するように配置された突起部７１，９１が形成されている。検知スイッチ６０，８０は、図７に示すようにそれぞれ、突起部７１，９１を検知可能な複数の検知部６１，６２，６３，６４，８１，８２，８３，８４を備えている。
【００３０】
ＣＰＵ１０１は、検知スイッチ６０，８０のＯＮ／ＯＦＦのパターンによって規制ガイド５２２，５２３の位置を識別する。具体的には、例えば次の表２に示すように、検知スイッチ６０，８０の検知パターンと用紙サイズとの対応関係を表すテーブルを参照することにより、給紙カセット５２にセットされた用紙サイズを判定する。このデータは、メモリ１０２のＲＯＭや補助記憶装置１０３に予め保存させておく。
【００３１】
【表２】
2018001463.tif 000004
【００３２】
以上説明した用紙幅検知部５２８及び用紙長さ検知部５２６は、シート保持手段に保持されたシートのサイズを検知可能なサイズ検知手段の一例であり、他の方式の検知手段を配置してもよい。例えば、シートに当接可能なフラグを介してシートを検知する透過型センサや、シートからの反射光を検知する反射型センサ等の光学式センサを用いてもよい。また、サイズ検知手段が、シートの幅及び長さの一方のみを検知可能な構成であってもよい。
【００３３】
［シート情報の設定方法］
次に、画像形成装置１００に対して、給紙カセット５２〜５５にセットされたシートのサイズ及び種類を設定する方法について説明する。本実施形態では、用紙サイズの設定処理として、用紙サイズを手動で設定するユーザ設定モードと、給紙カセット５２〜５５に備付けのセンサを用いて自動で検知する自動サイズ検知モードとを選択可能である。自動サイズ検知モードが選択されている状態では、ＣＰＵ１０１が後述するサイズ検知構成からの検知信号に基づいて用紙サイズを取得する。
【００３４】
図３（ａ）に示すように、操作パネル１０６は、給紙カセット５２〜５５に収納された用紙のサイズ及び種類を設定可能な用紙設定画面３００を表示可能である。用紙設定画面３００には、その時点で設定されているサイズ及び種類をカセット毎に表示する表示領域３０１，３０２，３０３，３０４が含まれる。表示領域３０１〜３０４は、用紙が給送されるカセットを色彩又は明度等により視覚的に表示すると共に、タッチ操作により他のカセットへと変更可能である。
【００３５】
一方、用紙設定画面３００のユーザ設定サイズボタン３０５がタッチされると、ユーザ設定モードが選択された状態となり、操作パネル１０６には図４に示すユーザ設定画面４００が表示される。ユーザ設定画面４００が表示された状態では、Ｘボタン４０１及びＹボタン４０２のタッチ操作によりＸサイズ（用紙幅）及びＹサイズ（用紙長さ）から入力項目を選択して、テンキー等の操作によって数値入力可能である。なお、ユーザ設定画面４００には、ユーザ設定モードを解除して自動サイズ検知モードへ切替可能な自動サイズ検知ボタン４０５が表示される。
【００３６】
数値が入力欄４０３，４０４に表示された状態でＯＫボタン４０６がタッチされると、それらの数値がＣＰＵ１０１に用紙サイズとして認識され、用紙設定画面３００に表示される。即ち、図４に図示した状態でＯＫボタン４０６がタッチされると、図３（ａ）に示すように、表示領域３０１には「２１０ｍｍ×２５６ｍｍ」のユーザ設定サイズが表示される。このとき、ユーザ設定サイズボタン３０５により、ユーザ設定モードが選択されていることが視覚的に表示される。
【００３７】
用紙種類を設定する場合には、ユーザは用紙設定画面３００の用紙種類ボタン３０６をタッチする。すると、図５（ａ）に示すように、操作パネル１０６のタッチパネル６ａには、用紙種類を選択可能なボタン群５０１を含む用紙種類選択画面５００が表示される。図５（ｂ）に示すように、用紙種類選択画面５００においてボタン群５０１のいずれも選択されていない状態では、ＯＫボタン５０２が網掛け等によって表示され、操作不能な状態となる。ボタン群５０１の中から一つを選択操作すると、ＯＫボタン５０２が操作可能となり（図５（ａ）参照）、ＯＫボタン５０２の操作により、選択された用紙種類が用紙種類として確定され、用紙設定画面３００へと戻る。
【００３８】
なお、図５（ｃ）に示すように、用紙種類選択画面５００においては、後述する所定の組合せ条件によって、設定済みの用紙サイズに対して組合せが禁止される用紙種類が網掛け等の操作不能なボタンとして表示される。例えば、図３（ａ）に示すように［２１０ｍｍ×２５６ｍｍ］のユーザ設定サイズが登録されている状態では、ＯＨＰシートが選択できない状態となる。
【００３９】
［シート情報の設定フロー］
次に、上述の操作パネル１０６の操作により、シート情報の設定処理の内容について、図８のフローチャートに沿って説明する。シート情報の設定処理とは、シートのサイズに関する第１の情報と、シートの種類に関する第２の情報とをＣＰＵ１０１に認識させ、印刷ジョブ等においてＣＰＵ１０１が参照可能なデータとしてメモリ１０２に記憶させるための処理である。以下、給紙カセット５２に対する制御フローについて説明するが、同様のフローがＣＰＵ１０１により給紙カセット５３，５４，５５の各々に対して並列的に実行される。
【００４０】
ＣＰＵ１０１は、自動サイズ検知モードが選択された場合（Ｓ１０１：Ｎ）には、自動サイズ検知の実行条件が成立（Ｓ１０２：Ｙ）したときに用紙サイズ検知処理を実行する（Ｓ１０３）。用紙サイズ検知処理を実行する場合とは、例えば、給紙カセット５２が開かれた後に閉じられたことを印刷装置１０５のセンサ（不図示）によって検知した場合である。
【００４１】
また、ユーザ設定モードが選択された場合（Ｓ１０１：Ｙ）には、ＣＰＵ１０１は操作パネル１０６にユーザ設定画面４００（図４）を表示させて（Ｓ１０４）、ユーザによる用紙サイズの入力を待機する（Ｓ１０６）。待機中に自動サイズ検知ボタン４０５がタッチされてユーザ設定モードが取消された場合（Ｓ１０５：Ｙ）には、自動サイズモードに変更され、用紙サイズ検知処理（Ｓ１０３）が実行される。ＣＰＵ１０１は、自動サイズ検知モードにおいて用紙サイズ検知処理により取得し、又はユーザ設定モードにおいて入力された情報を、メモリ１０２に記憶させる（Ｓ１０７）。
【００４２】
また、ユーザが用紙設定画面３００の用紙種類ボタン３０６（図３（ａ））を操作した場合（Ｓ１０８：Ｙ）には、ＣＰＵ１０１は操作パネル１０６に用紙種類選択画面５００（図５（ａ））を表示させてユーザの選択操作を待機する（Ｓ１０９）。このとき、既に登録された用紙サイズに対して組合せ可能な種類のみが選択可能となるように、用紙種類選択画面５００の表示内容が制御される（図５（ｃ））。ユーザによって用紙種類が選択されると、選択された情報が用紙種類に関する第２の情報としてメモリ１０２に格納される（Ｓ１１０）。
【００４３】
なお、図８には標準的な設定フローを図示したが、用紙サイズ及び用紙種類に関する情報を適宜設定可能であれば異なる順序で処理を行ってもよい。例えば、自動サイズ検知モードにおいて、用紙種類選択画面５００の表示中（Ｓ１０９）に給紙カセット５２の開閉が検知された場合に、用紙サイズ検知処理を実行してサイズ変更の有無を確認することが考えられる。また、サイズの設定（Ｓ１０１〜Ｓ１０７）と種類の設定（Ｓ１０８〜Ｓ１１０）の時間的順序は逆であってもよく、サイズ又は種類が既に設定されている場合には一方のみを設定してもよい。
【００４４】
［サイズ及び種類の組合せ条件］
ここで、画像形成装置１００がサポートしている用紙サイズ及び用紙種類の組合せについて説明する。本実施形態において、次の表３に示すように、画像形成装置１００が取扱う用紙のうち、特定のサイズ及び種類の組合せについては印刷ジョブが実行されないように設定されている。言い換えれば、シートのサイズ及び種類の可能な組合せを規定する組合せ条件（特定の組合せを禁止する禁則条件）が、各給紙カセット５２〜５５に対して設定されている。ただし、表中の「○」記号は可能な組合せを表し、「×」記号は禁止された組合せを表す。
【００４５】
【表３】
2018001463.tif 000005
【００４６】
個々の組合せの可否は、画像形成装置１００の構成に応じて適宜設定される。例えば、表３のカセット（１）のように、カセットの物理的大きさが制限されていることにより、一定以上のサイズと任意の種類との組合せを想定する必要がない場合に組合せ不可とすることが考えられる。また、シートの材質により、画像形成部５１における画像形成動作の設定（例えば、転写ローラ５に印加するバイアス電圧）が変更される場合に、設定可能範囲から外れるサイズと種類の組合せを禁止することも考えられる。
【００４７】
上述したように、ＣＰＵ１０１は、給紙カセット５２〜５５にセットされた用紙情報の設定処理を行う際に、表３に示すような組合せ条件が満たされるように、ユーザがとり得る操作の選択肢を制御する。即ち、本実施形態では、用紙種類選択画面５００において、組合せ条件を満たすもののみが選択可能な種類として表示される（図８のＳ１０９）。これにより、用紙情報が上述の設定フローに沿って設定された場合には、自動的にサイズ及び種類の組合せが適切なものとなる。
【００４８】
ところで、適切な組合せのサイズ及び種類に関する情報がメモリ１０２に既に記憶されている状態において、給紙カセット５２〜５５にセットされた用紙サイズの検知が実行される場合がある。例えば、ユーザ設定モードで用紙サイズが設定された後、ユーザが自動サイズ検知ボタン４０５（図４）を操作するなどして自動サイズ検知モードに切換った場合に、用紙サイズ検知処理が実行される（図８のＳ１０３）。
【００４９】
また、図９に示すように、シート情報が設定済みの状態で印刷ジョブの入力を待機している場合（Ｓ２０１：Ｎ）に、給紙カセット５２が開閉されたとき（Ｓ２０２：Ｙ）には、セット済みのシートから異なるサイズのシートに差替えられた可能性がある。そのため、ＣＰＵ１０１は、自動サイズ検知モードが選択されていることを確認（Ｓ２０３：Ｙ）して、用紙サイズ検出処理を実行する（Ｓ２０４）。なお、待機中に印刷ジョブが入力されると（Ｓ２０１：Ｙ）、ＣＰＵ１０１は印刷ジョブの実行を開始する（Ｓ２０５）。
【００５０】
このようなケースにおいて、メモリ１０２に適切な組合せのシート情報が記憶されている状態で用紙サイズを検知した場合には、検知結果である用紙サイズによって、メモリ１０２に記憶された情報を自動的に更新することも考えられる。しかしながら、検知サイズと、メモリ１０２に記憶されていたシートのサイズとが一致しない場合には、検知サイズとメモリ１０２に記憶されている用紙種類とが組合せ条件を満たさないケースが存在する。
【００５１】
例えば、用紙サイズがＡ４、用紙種類がＯＨＰとメモリ１０２に記憶されている状況を想定する。この状態において、ユーザが給紙カセット５２にＡ３サイズのシートをセットするために、給紙カセット５２を開いてサイド規制ガイド５２２及び後端規制ガイド５２３を移動させたとする。この場合、自動サイズ検知により検知サイズはＡ３で、メモリ１０２に記憶されている用紙種類はＯＨＰとなり組み合わせ条件を満たさないケースとなる。
【００５２】
［用紙サイズ検知処理］
そこで、本実施形態においては、メモリ１０２に用紙サイズ（第１の情報）及び用紙種類（第２の情報）が記憶されている状態で用紙サイズ検知処理（図８のＳ１０３、図９のＳ２０４）が実行された場合に、検知結果を用いて組合せ条件の適否を判定させる。以下、給紙カセット５２に対してＣＰＵ１０１が用紙サイズ検知処理を実行する際の処理内容について、図１０のフローチャートに沿って説明する。
【００５３】
用紙サイズ検知処理を実行する場合、ＣＰＵ１０１は、用紙幅検知部５２８及び用紙長さ検知部５２６から、検知スイッチ６０，８０のＯＮ／ＯＦＦの検知パターンを取得する（Ｓ３０１）。そして、上記表２に示すテーブルを参照するなどして、検知信号に対応する用紙サイズを導き出す（Ｓ３０２）。
【００５４】
ここで、検知結果として取得した用紙サイズ（検知サイズ）は、そのままメモリ１０２に記憶させずに、用紙種類として設定されている情報に対して組合せ条件を満たすものであるかどうかを判定される（Ｓ３０３）。ＣＰＵ１０１は、検知サイズが用紙種類に対して組合せ可能である場合（Ｓ３０３：Ｙ）には、検知サイズを用紙サイズとして確定する（Ｓ３０４）。このとき、メモリ１０２に記憶されている用紙サイズと検知サイズとが異なる場合には、用紙サイズが検知サイズによって置換えられる。
【００５５】
一方、検知サイズが設定済みの用紙種類に対して組合せ条件を満たしていない場合（Ｓ３０３：Ｎ）には、ＣＰＵ１０１は用紙種類の情報を「未確定」に設定（Ｓ３０５）した上で、検知サイズを用紙サイズとして確定する（Ｓ３０６）。また、操作パネル１０６に対して、用紙種類選択画面５００（図５（ｃ）参照）を表示させて、ユーザによる用紙種類の選択操作を受付可能な状態に遷移する（Ｓ３０７）。
【００５６】
このとき、用紙種類選択画面５００は、確定した用紙サイズに対して組合せ条件を満たすもののみが選択可能となるように、必要に応じて用紙種類ボタン群５０１の一部が網掛け又は非表示等の操作不能状態となっている。用紙種類が選択された状態でＯＫボタン５０２が操作されると、メモリ１０２に記憶されていた用紙種類が、選択された用紙種類へと書換えられて、用紙種類の設定変更が行われる（Ｓ３０８）。これにより、用紙サイズ検知処理を実行が終了する。
【００５７】
［本実施形態の効果］
このように、組合せ条件を満たす用紙サイズ（第１の情報）及び用紙種類（第２の情報）が設定されている状態でサイズ検知処理が実行された場合に、検知サイズが用紙種類に対して組合せ条件を満たすか判定する判定処理（Ｓ３０３）が実行される。このため、判定結果に応じて、用紙情報の再設定処理（Ｓ３０５〜Ｓ３０８）を行う必要性を適切に判断させることができる。
【００５８】
本実施形態では、検知サイズが設定済みの用紙種類に対して組合せ条件を満たしていない場合には、用紙情報の入力を受付ける入力処理（Ｓ３０７）を実行し、入力処理の結果に基づいてメモリ１０２に記憶させる情報を決定する（Ｓ３０８）。このとき、操作パネル１０６には、用紙サイズ検知処理の検知結果を優先して、検知サイズに対して組合せ条件を満たす範囲で情報を入力させる画面が表示される。このため、ユーザは、容易に組合せ条件を満たすような用紙情報の再設定をすることができる。
【００５９】
ここで、上述の制御フローに代えて、検知サイズが設定済みの用紙種類に対して組合せ条件を満たしていない場合であってもメモリ１０２に検知サイズを登録する構成も考えられる。この場合、組合せが禁止されたサイズ及び種類の用紙が給送されることを防ぐため、遅くとも印刷ジョブの入力時に組合せ条件の判定を行うことが好ましい。
【００６０】
しかしながら、このような構成では、用紙サイズ検知処理が実行されてから組合せ条件の判定が行われるまでの期間、組合せ条件を満たさない組合せの用紙情報が登録された状態となる。この場合、給紙カセット５２に用紙をセットした段階では、ユーザは用紙情報が不適切であることを認識できず、例えば、操作パネル１０６や外部ＰＣのディスプレイに表示される操作画面において特定の給紙カセットが選択不能となる形で通知される。従って、ユーザにとっては、用紙情報が不適切であることにより給紙カセットが選択できないことを認識できず、フラストレーションの原因となり得る。また、用紙情報の再設定を促す表示を出したとしても、印刷の実行を意図しているユーザに用紙情報の確認等の復帰操作を強いることになる。
【００６１】
一方、本実施形態では、用紙サイズの検知工程（Ｓ３０１，Ｓ３０２）に付随して組合せ条件の判定工程（Ｓ３０３）が実行されるため、用紙情報の組合せが不適切である場合には速やかにユーザに通知される。そして、再設定工程（Ｓ３０５〜Ｓ３０８）により、組合せ条件を満たすように設定された情報がメモリ１０２に格納される。このため、例えばユーザが給紙カセット５２の用紙を異なるサイズの用紙に差替えた場合であっても、組合せ条件が不適切である場合にはその場でユーザが対応することができ、ユーザビリティの向上につながる。
【００６２】
なお、判定処理（Ｓ３０３）においては、検知サイズと設定済みの用紙サイズとを比較する処理を先に行い、用紙サイズに一致しない場合にのみ組合せ条件を判定し、用紙サイズに一致する場合にはサイズ検知処理を終了するようにしてもよい。また、再設定処理（Ｓ３０５〜Ｓ３０８）においては、用紙サイズ検知処理の検知結果を優先せずに、用紙サイズを確認させて必要に応じて再設定させる処理や、用紙サイズ及び用紙種類の両方を確認させて再設定させる処理を行ってもよい。
【００６３】
＜第２実施形態＞
次に、第２の実施形態に係る画像形成装置の制御方法について説明する。本実施形態に係る画像形成装置は、組合せ条件が満たされていないと判定された場合の処理内容において、上記第１実施形態と異なっている。その他の第１実施形態と共通する要素には同符号を付して説明を省略する。
【００６４】
本実施形態においては、第１実施形態と同様に、ＣＰＵ１０１が給紙カセット５２の開閉を検知した場合や、ユーザ設定画面４００において自動サイズ検知ボタン４０５が操作された場合等に、用紙サイズ検知処理が実行される。図１１に示すように、用紙サイズ検知処理を実行する場合、ＣＰＵ１０１は用紙幅検知部５２８及び用紙長さ検知部５２６から取得（Ｓ４０１）した検知信号に基づいて、給紙カセット５２にセットされた用紙サイズを検知する（Ｓ４０２）。
【００６５】
ＣＰＵ１０１は、検知結果として取得した用紙サイズ（検知サイズ）が、設定済みの用紙種類に対して組合せ条件を満たすかを判定し（Ｓ４０３）、組合せ可能である場合（Ｓ４０３：Ｙ）には、検知サイズを用紙サイズとして確定する（Ｓ４０４）。このとき、メモリ１０２に記憶されている用紙サイズと検知サイズとが異なる場合には、用紙サイズが検知サイズによって置換えられる。
【００６６】
一方、検知サイズが設定済みの用紙種類に対して組合せ条件を満たしていない場合（Ｓ４０３：Ｎ）には、ＣＰＵ１０１は、用紙種類の情報を、検知サイズに対して組合せ可能な範囲で自動的に選択して（Ｓ４０５）、メモリ１０２に記憶させる（Ｓ４０６）。言い換えれば、本実施形態では、ＣＰＵ１０１が、メモリ１０２に記憶された情報を、組合せ条件を満たすように変更してメモリ１０２に記憶させる自動変更処理（Ｓ４０５，４０６）を実行する。なお、自動的に選択される用紙種類は、「普通紙」のように一般的に使用される頻度が高い種類が選択される。自動変更処理を実行した場合には、ＣＰＵ１０１は、操作パネル１０６又は外部のディスプレイ等に表示される操作画面に、用紙種類を変更した旨のメッセージを表示する（Ｓ４０７）。
【００６７】
このように、本実施形態においても、用紙サイズの検知工程（Ｓ４０１，Ｓ４０２）に付随して組合せ条件の判定工程（Ｓ４０３）が実行される。そして、再設定工程（Ｓ４０５〜Ｓ４０７）により、組合せ条件を満たすように設定された情報がメモリ１０２に格納される。このため、第１実施形態と同様に、組合せ条件が不適切である場合にはその場で再設定処理が行われ、ユーザビリティの向上につながる。
【００６８】
また、本実施形態では、ユーザの入力によらず、ＣＰＵ１０１が自動で用紙情報の再設定を行うため、第１実施形態に比してユーザの操作負担を軽減することができる。ただし、自動変更処理を実行する場合に、メモリ１０２に記憶された用紙種類の書換えを実行する前に、ユーザに自動変更処理の可否を確認するメッセージを表示させてもよい。
【００６９】
なお、本実施形態では、用紙サイズ検知処理の結果を優先して用紙種類を変更するものとして説明したが、検知サイズを用紙種類に合わせて修正する処理や、検知サイズ及び用紙種類の一方又は両方を必要に応じて変更する処理により再設定を行ってもよい。
【００７０】
＜第３実施形態＞
次に、第３の実施形態に係る画像形成装置の制御方法について説明する。本実施形態に係る画像形成装置は、用紙サイズ検知処理が実行される際の処理内容において、上記第１実施形態と異なっている。その他の第１実施形態と共通する要素には同符号を付して説明を省略する。
【００７１】
本実施形態においては、第１実施形態と同様に、ＣＰＵ１０１が給紙カセット５２の開閉を検知した場合や、ユーザ設定画面４００において自動サイズ検知ボタン４０５が操作された場合等に、用紙サイズ検知処理が実行される。図１２に示すように、用紙サイズ検知処理を実行する場合、ＣＰＵ１０１は用紙幅検知部５２８及び用紙長さ検知部５２６から取得（Ｓ５０１）した検知信号に基づいて、給紙カセット５２にセットされた用紙サイズを検知する（Ｓ５０２）。
【００７２】
ＣＰＵ１０１は、検知結果として取得した用紙サイズ（検知サイズ）をメモリ１０２に記憶させ（Ｓ５０３）、設定済みの用紙種類に対して組合せ条件を満たすかを判定する（Ｓ５０４）。このとき、メモリ１０２に記憶されている用紙サイズと検知サイズとが異なる場合には、用紙サイズが検知サイズによって置換えられる。また、組合せ条件の判定工程（Ｓ５０４）は、用紙サイズの検知工程（Ｓ５０１，Ｓ５０２）の実行に伴って、待機時間を設けずに実行される。
【００７３】
検知サイズが設定済みの用紙種類に対して組合せ条件を満たす場合（Ｓ５０４：Ｙ）、ＣＰＵ１０１は処理を終了する。一方、組合せ条件が満たされていない場合（Ｓ５０４：Ｎ）には、ＣＰＵ１０１は、画像形成装置１００にサポートされていない用紙情報が設定されている旨を通知する（Ｓ５０５）。言い換えれば、ＣＰＵ１０１は、シートのサイズ及び種類の一方又は両方を再設定する必要があることを通知する通知処理を実行する。
【００７４】
通知の方法は、例えば、図３（ｂ）に示すように、用紙設定画面３００において警告メッセージ３１０を表示させることが考えられる。これ以外にも、例えば外部のディスプレイに表示される操作画面にメッセージをポップアップさせることで通知を行ってもよい。また、音声又は警告ランプ等によって通知を行ってもよい。
【００７５】
本実施形態において、操作パネル１０６に警告メッセージ３１０が表示された状態では、ＯＫボタン３０７が操作不能な状態となり、ユーザに用紙サイズ及び用紙種類の確認を促すようになっている。警告メッセージ３１０の表示は、ユーザの操作によって用紙サイズ及び用紙種類の組合せが組合せ可能なものとなった場合に解除される。
【００７６】
このように、本実施形態においても、用紙サイズの検知工程（Ｓ５０１，Ｓ５０２）に付随して組合せ条件の判定工程（Ｓ５０４）が実行される。そして、操作パネル１０６を介して、ユーザに用紙情報の見直しを促す通知工程が実行される（Ｓ５０５）。このため、組合せ条件が不適切である場合には、ユーザがその場で対処することが可能となり、ユーザビリティの向上につながる。
【００７７】
＜その他の実施形態＞
本技術は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７８】
また、上述の実施形態では、給紙カセット５２〜５５にセットされたシートに対するＣＰＵ１０１の制御内容について説明したが、同様の処理内容を、他のシート保持手段にセットされたシートに対して行ってもよい。例えば、印刷装置１０５に固設されたシート収納部や、手差し装置５６にセットされたシートについて、本技術を適用してもよい。
【符号の説明】
【００７９】
５２，５３，５４，５５，５６…シート保持手段（給紙カセット、手差し装置）／１００…画像形成装置／１０１…制御手段（ＣＰＵ）／１０２…記憶手段（メモリ）／５２６，５２８…サイズ検知手段（用紙長さ検知部、用紙幅検知部）／１０６…表示部（操作パネル）
【図１】
2018001463.tif 000006
【図２】
2018001463.tif 000007
【図３】
2018001463.tif 000008
【図４】
2018001463.tif 000009
【図５】
2018001463.tif 000010
【図６】
2018001463.tif 000011
【図７】
2018001463.tif 000012
【図８】
2018001463.tif 000013
【図９】
2018001463.tif 000014
【図１０】
2018001463.tif 000015
【図１１】
2018001463.tif 000016
【図１２】
2018001463.tif 000017